(57)【特許請求の範囲】
【請求項１】
版板を印刷機の版胴の緊定装置に供給する方法において、
前縁緊定装置に挿入するのに版板の前縁が前縁緊定装置の緊定面に対してほぼ平行に方向付けされるように、版板の前領域に曲げを形成し、
版板を前縁緊定装置に対して平行に方向付けし、このような方向で版板を保持し、
版板の前縁を前縁緊定装置の手前に位置決めし、
版胴を逆方向回転して版板を前縁緊定装置に挿入して、版板を版胴に取り付けることを特徴とする、版板を供給する方法。
【請求項２】
前縁と前領域とを有する版板を印刷機の版胴の緊定装置に供給するための版板供給装置において、
前縁緊定装置が設けられており、該前縁緊定装置が、印刷機の版胴に配置されていて、かつ緊定面を有する緊定ジョーを備えており、
版板準備装置が設けられており、該版板準備装置が、版板を保持して、版板を前記前縁緊定装置に準備するための保持装置を備えており、
少なくとも１つの版板曲げローラが設けられており、該版板曲げローラが、版板の前縁が前記緊定面に対してほぼ平行に方向付けされるように、前記緊定ジョーの手前で挿入準備された版板に曲げを形成するようになっており、少なくとも１つの前記版板曲げローラが、版板の前領域を曲げる調節装置を備えており、
レバーが設けられており、該レバーが、前記調節装置を操作するようになっており、前記レバーが、版胴に版板準備装置が位置決めされると作動させられるようになっていることを特徴とする、版板供給装置。
【請求項３】
前記調節装置が、アクティブに操作可能な調節部材を有している、請求項２記載の装置。
【請求項４】
前記版板準備装置が、走行ローラを備えており、版胴が、枕を備えており、レバーを操作する機構が、前記走行ローラが版胴の枕に載置することによって作動させられるようになっている、請求項２記載の装置。
【請求項５】
インデックスピンが設けられており、該インデックスピンが、前記版板準備装置において版板を方向付けるようになっており、前記機構が、前記インデックスピンに結合されていて、かつ前記インデックスピンを作動させるようになっている、請求項４記載の装置。
【請求項６】
導入ローラが設けられており、該導入ローラが、版板に曲げが形成されると、版板の前縁を保持するようになっており、前記機構が、版板の前縁のための保持ポジションに前記導入ローラを作動させるようになっている、請求項５記載の装置。
【請求項７】
導入ローラが設けられており、該導入ローラが、版板に曲げが形成されると、版板の前縁を保持するようになっており、前記機構が、版板の前縁のための保持ポジションに前記導入ローラを作動させるようになっている、請求項４記載の装置。
【請求項８】
前記版板準備装置が版板供給のためのポジションを去ると、前記機構が、前記導入ローラを出発位置に戻すようになっている、請求項７記載の装置。
【請求項９】
インデックスピンが設けられており、該インデックスピンが、前記版板準備装置において版板を方向付けるようになっており、前記版板準備装置が版板供給のためのポジションを去ると、前記機構が、少なくとも１つの前記版板曲げローラ、前記導入ローラおよび前記インデックススピンのうちの少なくとも１つを出発位置に戻すようになっている、請求項４記載の装置。
【請求項１０】
前記版板準備装置が版板供給のためのポジションを去ると、前記機構が、少なくとも１つの前記版板曲げローラを出発位置に戻すようになっている、請求項４記載の装置。
【請求項１１】
前記版板準備装置が版板供給のためのポジションを去ると、前記機構が、前記インデックスピンを出発位置に戻すようになっている、請求項５記載の装置。
【請求項１２】
版板を印刷機の版胴の緊定装置に供給するための版板供給装置において、
前縁緊定装置が設けられており、該前縁緊定装置が、印刷機の版胴に配置されていて、かつ緊定面を有する緊定ジョーを備えており、
版板準備装置が設けられており、該版板準備装置が、版板を保持して、版板を前記前縁緊定装置に準備するための保持装置を備えており、版板が、前縁を有しており、
少なくとも１つの版板曲げローラが設けられており、該版板曲げローラが、版板の前縁が前記緊定面に対してほぼ平行に方向付けされるように、前記緊定ジョーの手前で挿入準備された版板に曲げを形成するようになっており、
導入ローラが設けられており、該導入ローラが、版板に曲げが形成されると、版板の前縁を保持するようになっていることを特徴とする、版板供給装置。
【発明の詳細な説明】
【０００１】
【発明の属する技術分野】
本発明は、版板を版胴の緊定装置に供給するための方法であって、版板を準備し、前縁緊定装置内に挿入し、版胴に取り付ける方法に関する。
【０００２】
さらに本発明は、前記方法を実施するための版板供給装置であって、版板のための保持装置を備えた版板準備装置が設けられている形式のものに関する。
【０００３】
【従来の技術】
このような種類の方法および装置は欧州特許第４３１５７５号明細書に基づき公知である。このような版板供給の場合、機械の幾何学的配置つまりジオメトリが、版板を版板準備装置によって前縁緊定装置の緊定面に対して平行に準備すること、および、前縁緊定装置内に挿入することを可能にしないか、または可能にしても大きな手間を要するという問題が生じる。これにより、場合によっては前縁が先ず挿入斜面によって前縁緊定装置内に導入された後に、版板の前縁はこのような緊定面に衝突する。しかしながら緊定面は通常の場合、版板の緊定時により良好な保持を達成するために例えばサンドブラスチングにより粗面化されている。このような理由から、版板前縁が緊定面で引掛かり、版板供給の続行がもはや不可能になる。使用された版板をもう一度使用する場合、このような版板の前領域は、前に行われた緊定により屈曲部を有しており、これにより、一層急な角度を成して緊定面に衝突し、引掛かり、屈曲部に向かう方向に変位するので、上記の問題は尖鋭化する。確かに上記文献から、版板を版胴に取り付ける際にこの版胴に圧着するローラ、および、版板の後縁を後縁緊定装置内に挿入する別のローラが公知ではあるものの、これらのローラによっては、前記問題は解決されない。それというのは、これらのローラは前縁緊定装置内への緊定には役立たないからである。
【０００４】
【発明が解決しようとする課題】
したがって本発明の課題は、冒頭で述べた形式の方法および装置を改良して、版板を確実かつ容易に前縁緊定装置内に挿入させることである。
【０００５】
【課題を解決するための手段】
この課題を解決するために本発明の方法では、版板の前領域を負荷することにより、版板の前縁が前縁緊定装置の緊定面に対してほぼ平行に挿入するために方向付けられるような曲げを版板に形成するようにした。
【０００６】
さらに上記課題を解決するために本発明の構成では、少なくとも１つの版板曲げローラが設けられており、該版板曲げローラが、前縁緊定装置の緊定ジョーの手前で、挿入準備をしている版板を負荷することにより、版板の前縁が緊定ジョーの緊定面に対してほぼ平行に方向付けられるように、版板に曲げが形成されるようになっているようにした。
【０００７】
【発明の効果】
達成されるべき曲げは、版板前縁が両緊定面の間のギャップ内に容易に挿入でき、この場合、前縁ができる限り緊定面のいずれにも衝突しないようになっていなければならない。しかしながら本発明は極めてフラットな衝突時、つまり緊定面に対する版板前縁の平行性がほぼ与えられている場合にも機能する。本発明による手段が平行性の僅かなずれを有する領域にも機能することは、新しい版板および既に使用された版板のために個別に調節する必要がないので有利である。このような領域は、前縁緊定装置内への版板の挿入が、版胴が逆方向に回転して、これにより前縁が緊定面内に収納されることにより生ぜしめられる場合にも重要である。このような回転により、緊定面の角度位置が変化し、これにより、版胴前縁の方向付けにある程度の許容誤差範囲も必要となる。このような角度位置の変化は、曲げを挿入動作中に変化させることによっても斟酌することができることはもちろんである。しかしながら、通常の場合このことは上記許容誤差範囲の理由から不要である。
【０００８】
版板準備装置は、全自動式または半自動式の装置であってよい。この版板準備装置は１つまたは複数の版板の準備のために働く。版板曲げローラは一貫して延びる１つのローラであってもよいし、または、同時に操作可能な複数のローラであってもよい。１つのローラが版胴の全長にわたって弾性的な複数のリングを備えていることも可能である。
【０００９】
版板の保持および負荷による曲げ形成のためには、多くの可能性がある。この方法を実施するためには、例えば曲げられた１つのガイドが設けられているか、または、複数の吸着エレメントが版板を負荷することによって版板に曲げを形成することもできる。この装置により提案される版板曲げローラは、ガイド、吸着エレメントまたは保持装置としてのストッパと協働することができる。以下に、本発明による装置および方法の有利な構成について説明する。
【００１０】
本発明の有利な方法においては、版板を前縁緊定装置に対して平行に方向付け、このような方向で保持する。版板の前縁を前縁緊定装置の手前に位置決めし、版板を負荷することにより版板に曲げを形成する。これにより次いで前縁を前縁緊定装置内に挿入することができる。この曲げは、版板が一方では後方の範囲および中央の範囲において保持され、前縁緊定装置の手前で版胴に当て付けられることにより達成され、他方ではこのような当接部と保持部との間で版胴の方向に向かって版板が負荷されることにより版板に曲げが形成されることにより達成される。これにより、前縁緊定装置の緊定面に対する平行な方向付けが達成される。このような方向付けは新しい版板および使用された版板において行われる。使用された版板の場合、曲げ負荷は版板の屈曲個所で行われる。この屈曲個所が、曲げ負荷によって先ず取り除かれ、次いで、版板は前縁緊定装置の緊定面に対して平行な方向付けが達成されるまでさらに曲げられる。
【００１１】
本発明による別の有利な方法においては、前縁の挿入を版胴の逆方向回転によって行う。このような逆方向回転によって、前縁緊定装置はいわば、この装置の手前にある版板を受容しているも同然である。このあと、版板は締め込まれて、版胴に取り付けられる。
【００１２】
本発明による別の構成においては、版板の前縁が、負荷による曲げ形成時に導入ローラによって保持されている。このような保持装置は、既に先に説明したような版胴の当接領域で行われる。
【００１３】
本発明によるさらに別の有利な構成においては、少なくとも１つの版板曲げローラが調節装置を有しており、該調節装置によって、版板曲げローラが、曲げを達成するために、版板の前縁から僅かに離れた前領域に圧着されるようになっている。このような調節装置は、前縁を検出するセンサと協働する制御装置を有していてよい。しかしながら通常の場合、新しい版板も古い版板も確実に前縁緊定装置内に導入できるような、曲げ領域を調節することが可能な位置調整装置で十分である。この調節装置は、アクティブにつまり積極的に操作可能な調節部材、例えばニューマチック式シリンダ、マグネットユニットまたは真空シリンダを有していてよい。もちろん別の可能性も考えられる。
【００１４】
本発明のさらに別の構成においては、調節装置がレバーを介して操作可能であり、該レバーが版胴に版板準備装置が位置決めされることによって作動させられるようになっている。この場合レバーは、版板準備装置の走行ローラが版胴の枕に載置することによって作動させられる機構を介して操作可能であってよい。この場合の利点は、特別な駆動装置が必要とならず、さらに、エラー機能が事実上排除されることにある。さらにこの機構を介して、版板準備装置内の版板の方向付けに役立つインデックスピンを外すことができる。さらに、機構が導入ローラを版板の前縁のための保持ポジションにもたらすようになっていてよい。しかしながら、導入ローラは、版板準備装置に固定的に結合されていてもよい。この機構は、得ようとする目的を達成するためのこれらのエレメントの時間的・空間的な協働を保証する。通常の場合、機械を組み付けるときの１度の位置調節で十分である。
【００１５】
版板準備装置が版板供給のためのポジションを去ると、前記機構が、操作されるエレメントを出発位置に戻すようになっていると有利である。操作可能なエレメントは、版板曲げローラであり、可能な場合には、インデックスピンおよび／または導入ローラである。
【００１６】
【発明の実施の形態】
次に本発明を図面に示した実施の形態について説明する。
【００１７】
図１は従来技術に基づく版板供給装置１を示している。版胴４は、版板２を緊定するための緊定装置３を備えている。この場合常に前縁緊定装置５が存在しており、通常の場合、後縁緊定装置３３も設けられている。版板２の供給は、版板２の前縁７が収容され得るように版板準備装置１０が版胴４の前縁緊定装置５に案内されることにより行われる。この場合、幾何学的配置の理由、つまりジオメトリックな理由から、前縁緊定装置５の緊定面８に対して正確に平行に版板を準備することは、許容できる範囲内の手間で行うことはできない。従って、新しい版板２２は導入時に導入斜面３４に衝突し、次いで前縁緊定装置５内に案内される。しかしながらこのことにより、版板の前縁７が変向させられ、次いで前縁緊定装置５の緊定面８に所定の角度を成して衝突することになる。前縁緊定装置５の緊定面８は例えばサンドブラスチングにより粗面化されているので、版板２の前縁７は滑ることができず、導入過程が失敗する。一点鎖線２２は、導入斜面３４への衝突時における新しい版板を示し、一点鎖線２２′は、前縁７が緊定面８に衝突した時に導入斜面３４によって変向させられた新しい版板２を示している。このような問題は、既に一度使用されておりそれゆえ以前の緊定により屈曲部２１を有しているような版板において、なおも極めて大きな規模で生じる。このような版板２の前縁７は、なおもより傾斜の大きな角度を成して、前縁緊定装置５の緊定面８に衝突し、このような前縁７は緊定面８で引掛かるというおそれが一層大きくなる。このことにより、版板は矢印３５によって示す方向に曲がり、版板供給をもはやさらに行うことができなくなる。版板２の前縁７を前縁緊定装置５内に挿入する働きを持った導入ローラ１４が提案されてはいるものの、このような導入ローラ１４は唯、前縁７がその経路を収容スリット３６内に見出すことを保証するだけであって、版板の前縁７の平行な方向付けのために働くのではない。それというのは、この導入ローラ１４は、版胴４の回転９時には上側の緊定ジョー１３の前で変位しなければならないからである。
【００１８】
図２は本発明の１つの実施例を示している。この図は、版板２が前縁緊定装置５に案内されているポジションを示している。このようなポジションにおいては、版板２の前縁７はなおも導入ローラ１４によって保持されている。しかしながら、この導入ローラは版胴４の逆方向回転９によって、図３に示したように、上側の緊定ジョー１３の上面にスライドして乗り上げる。この場合、本発明による手段がなければ、図１に記載した状態になる。このことを阻止するために、本発明においては版板曲げローラ１２が設けられている。この版板曲げローラ１２は矢印２４によって示した調節運動により、版板２を負荷することにより版板２に曲げ６を形成する。このことにより、版板２の前縁７は前縁緊定装置５の緊定面８に対して平行またはほぼ平行に方向付けられており、引掛かることなしに緊定ジョー１３相互間に滑動することができる。次いで下側の緊定ジョー１３の閉鎖運動が矢印２３の方向で行われる。
【００１９】
図示の実施例においては、版板２は負荷されることにより曲げ６を形成されたときに、版板準備装置１０によって保持装置１１を用いて保持される。この保持装置は例えば往復動サッカとして構成されていてよい。版板２の前縁７は同時に版胴４に同時に当て付けられる。このとき、前縁７は導入ローラ１４によって保持されてよい。しかしながらこのことは必ずしも必要ではない。版板曲げローラ１２は、前縁７から僅かに離れた前領域１６内で、版板２に衝突し、これにより曲げ６を伝達する。このような手段により、新しい版板も古い版板も申し分なく前縁緊定装置５内に滑り込むことができる。それというのは、これらの版板は平行な方向付けを受けるからである。古い版板の場合、先ず屈曲部２１が版板曲げローラ１２の押圧力によって除去される。
【００２０】
さらに図２は、走行ローラ１９が版胴４の枕に衝突するやいなや、レバー１７を介して版板曲げローラ１２の調節運動２４を生ぜしめる機構１８を示している。これらの走行ローラ１９は、機械の操作・駆動側において版板準備装置１０の両側に位置している。導入ローラ１４の手前の走行ローラ１９は、この図面には示されていない。他方の走行ローラは背後で導入ローラ１４の後方に位置している。これらの走行ローラ１９は、操作レバー２５の端部に支承されている。操作レバー２５は機構１８の操作に役立つ。この機構１８にはインデックスピン２０を結合することもできる。これらのインデックスピン２０の働きによって、版板準備装置１０において準備された版板２が前縁緊定装置５に対して平行に方向付けられる。このような方向付け時には、インデックスピン２０は、版板２の前縁７の切欠き内に位置しており、版板供給の前に離反させられなければならない。版板２のポジションは保持装置１１によって保持される。今説明した機構についてさらに詳しく以下に説明する。
【００２１】
図３は、導入ローラ１４が上側の緊定ジョー１３を介して離反旋回させられた第２の作業ポジションにおける同じ実施例を示している。導入ローラ１４が版板準備装置１０に固定的に結合されている場合には、この導入ローラは旋回させられる。このような離反旋回は、版胴４の逆方向回転９のために必要である。このような逆方向回転９によって版板２の前縁７は前縁緊定装置５内に挿入されるので、下側の緊定ジョー１３は矢印２３が示す方向に閉じ、版板の前縁７を固く締めつけることができる。版胴４の逆方向回転９時には、版板曲げローラ１２が必要な曲げ６を維持するために働き、これにより、版板２の前縁７を緊定面８に対して平行な位置に保つ。導入ローラ１４はこの時点では機能していない。
【００２２】
図４は、版板準備装置１０がまだ版胴４に当て付けられておらず、それゆえ走行ローラ１９が機構１８をまだ操作していない第１の作業ポジションにおける実施例の機構を示している。このようなポジションにおいては、インデックスピン２０は、版板２を版板準備装置１０において、前縁緊定装置５に対して平行に位置決めするためにまだ係合している。このような作業ポジションにおいては、版板曲げローラ１２はまだ後退しており、それゆえ版板２には作用することができない。
【００２３】
図５は版胴４に版板準備装置１０が当て付けられている状態を示している。この場合、走行ローラ１９は枕に衝突し、操作レバー２５が矢印２６の調節運動を行う。これにより軸３２と偏心体２７とが調節運動２８を実行する。これによりレバー１７が操作される。結合部材３１を介してこのような調節運動は版板曲げローラ１２に伝達される。この版板曲げローラは矢印２４の示す方向で運動させられ、これにより、版板２が負荷されることによって版板２に曲げ６が形成される。図５は、調節運動２４の実施後の版板曲げローラ１２を示している。さらに、図５は、機構１８がインデックスピン２０（通常の場合は２つ）にも調節運動を伝達することを示している。導入ローラ１４は版板準備装置１０に結合することができ、前縁緊定装置５の上側の緊定ジョーに乗り上がるときに、この導入ローラは旋回することができるか、または、導入ローラ１４は別の駆動可能なレバーまたはガイドに配置することができ、ばね力によって離反運動するか、または、アクティブつまり積極的に離反旋回することができる。インデックスピン２０は、版板準備装置１０が版胴４に当て付けられるやいなや、調節レバー２９を介して、複矢印３０の示す方向で運動させられる。このことは、版胴４への供給のために版板２を解放するのに必要である。このとき、レバー２９は偏心体２７または別の偏心体によって操作することもできる。
【図面の簡単な説明】
【図１】本発明が解決する問題を説明するための、従来技術に基づく版板供給装置を示す図である。
【図２】本発明の実施例を、第１の作業位置で示す図である。
【図３】本発明の実施例を、第２の作業位置で示す図である。
【図４】本発明の実施例の機構を、第１の作業位置で示す図である。
【図５】機構を第２の作業位置で示す図である。
【符号の説明】
１  版板供給装置、  ２  版板、  ３  緊定装置、  ４  版胴、  ５  前縁緊定装置、  ６  曲げ、  ７  版板の前縁、  ８  前縁緊定装置の緊定面、  ９  矢印（逆方向回転）、  １０  版板準備装置、  １１  保持装置（例えば往復動サッカ）、  １２  版板曲げローラ、  １３  緊定ジョー、  １４  導入ローラ、  １５  調節装置、  １６  版板の前領域、  １７  レバー、  １８  機構、１９  走行ローラ、  ２０  インデックスピン、  ２１  屈曲部、  ２２，２２′  新しい版板、  ２３  矢印（下側の緊定ジョーの閉鎖運動）、  ２４  矢印（版板曲げローラの調節運動）、  ２５  操作レバー、  ２６  矢印・複矢印（操作レバーの調節運動）、  ２７  偏心体、  ２８  複矢印（偏心体の調節運動）、  ２９  インデックスピンの調節レバー、  ３０  複矢印（調節レバーの調節運動、  ３１  結合部材、  ３２  軸、  ３３  後縁緊定装置、  ３４  導入斜面、  ３５  矢印（版板の曲げ）、  ３６  収容スリット
【図１】
0004436956.tif 000002
【図２】
0004436956.tif 000003
【図３】
0004436956.tif 000004
【図４】
0004436956.tif 000005
【図５】
0004436956.tif 000006